(57)【要約】【課題】チョーク空洞を形成する基体および蓋体をダイキャスト加工のような量産技術およびわずかな切削加工によって生産性良く作製することができ、熱応力が基体および蓋体の接合部に加わっても接合部で有効に緩和することができ、また放熱性が向上するものとすること。【解決手段】高周波部品収納用容器は、上面に高周波信号で作動する高周波部品を収容するための凹部２ａが形成された金属製の基体２と、基体２の上面の凹部２ａの周囲に接合される、凹部２ａの底面に下面が平行な平板状の金属製の蓋体１とを具備し、基体２と蓋体１との接合部に、上端および／または下端に基体２の内側および外側の少なくとも一方に連通する隙間４ａが形成された高周波信号の漏洩を防ぐためのチョーク空洞４が全周にわたって設けられている。【選択図】  図１
2004193427.tif 000002
【特許請求の範囲】
【請求項１】
上面に高周波信号で作動する高周波部品を収容するための凹部が形成された金属製の基体と、該基体の上面の前記凹部の周囲に接合される、前記凹部の底面に下面が平行な平板状の金属製の蓋体とを具備しており、前記基体と前記蓋体との接合部に、上端および／または下端に前記基体の内側および外側の少なくとも一方に連通する隙間が形成された前記高周波信号の漏洩を防ぐためのチョーク空洞が全周にわたって設けられていることを特徴とする高周波部品収納用容器。
【請求項２】
前記チョーク空洞は、前記基体の上面の外周部に全周にわたって形成した突部と前記蓋体の下面の外周部に全周にわたって形成した突部とが所定の間隔をもって噛み合うようにして形成されていることを特徴とする請求項１記載の高周波部品収納用容器。
【請求項３】
前記チョーク空洞は、上端よりも下端が前記基体の内側寄りに位置するように傾斜していることを特徴とする請求項１または請求項２記載の高周波部品収納用容器。
【請求項４】
請求項１乃至請求項３のいずれかに記載の高周波部品収納用容器と、該高周波部品収納用容器の内部に収納された前記高周波信号を伝搬させるための誘電体線路とを具備しており、前記凹部の底面と前記蓋体の下面との間の間隔が前記高周波信号の波長の２分の１以下とされていることを特徴とする非放射性誘電体線路。
【請求項５】
請求項１乃至請求項３のいずれかに記載の高周波部品収納用容器であって、前記凹部の底面と前記蓋体の下面との間の間隔がミリ波信号の波長の２分の１以下とされている前記高周波部品収納用容器の内部に、
高周波発生素子から出力され周波数変調されたミリ波信号を伝搬させる第１の誘電体線路と、
該第１の誘電体線路に付設され、前記高周波発生素子から出力された高周波信号を周期的に周波数変調して送信用のミリ波信号として出力し前記第１の誘電体線路中を伝搬させるミリ波信号発振部と、
前記第１の誘電体線路に一端側が電磁結合するように近接配置されるかまたは前記第１の誘電体線路に一端が接合されて、前記ミリ波信号の一部をミキサー側へ伝搬させる第２の誘電体線路と、
前記凹部の底面および前記蓋体の下面に平行に対向配置された２枚のフェライト板の周縁部に所定間隔で配置されかつそれぞれ前記ミリ波信号の入出力端とされた第１の接続部，第２の接続部および第３の接続部を有する第１のサーキュレータであって、前記第１の誘電体線路の前記ミリ波信号の出力端に前記第１の接続部が接続される第１のサーキュレータと、
該第１のサーキュレータの前記第２の接続部に一端が接続され、前記ミリ波信号を振幅変調するショットキーバリアダイオードが他端に接続された第３の誘電体線路と、
前記第１のサーキュレータの前記第３の接続部に一端が接続された第４の誘電体線路と、
前記凹部の底面および前記蓋体の下面に平行に対向配置された２枚のフェライト板の周縁部に所定間隔で配置されかつそれぞれ前記ミリ波信号の入出力端とされた第４の接続部，第５の接続部および第６の接続部を有する第２のサーキュレータであって、前記第４の接続部に前記第４の誘電体線路の他端が接続された第２のサーキュレータと、
前記第２のサーキュレータの前記第５の接続部に一端が接続され、前記ミリ波信号を振幅変調するショットキーバリアダイオードが他端に接続された第５の誘電体線路と、
前記第２のサーキュレータの前記第６の接続部に一端が接続された第６の誘電体線路と、
前記凹部の底面および前記蓋体の下面に平行に対向配置された２枚のフェライト板の周縁部に所定間隔で配置されかつそれぞれ前記ミリ波信号の入出力端とされた第７の接続部，第８の接続部および第９の接続部を有する第３のサーキュレータであって、前記第７の接続部に前記第６の誘電体線路の他端が接続された第３のサーキュレータと、
該第３のサーキュレータの前記第８の接続部に一端が接続され、ミリ波信号を伝搬させるとともに先端部に送受信アンテナを有する第７の誘電体線路と、
前記送受信アンテナで受信され前記第７の誘電体線路を伝搬して前記第３のサーキュレータの前記第９の接続部より出力した受信波をミキサー側へ伝搬させる第８の誘電体線路と、
前記第２の誘電体線路の中途と前記第８の誘電体線路の中途とを近接させて電磁結合させるかまたは接合させて成り、ミリ波信号の一部と受信波とを混合させて中間周波信号を発生させるミキサーと
が設けられていることを特徴とするミリ波送受信器。
【請求項６】
請求項１乃至請求項３のいずれかに記載の高周波部品収納用容器であって、前記凹部の底面と前記蓋体の下面との間の間隔がミリ波信号の波長の２分の１以下とされている前記高周波部品収納用容器の内部に、
高周波発生素子から出力され周波数変調されたミリ波信号を伝搬させる第１の誘電体線路と、
該第１の誘電体線路に付設され、前記高周波発生素子から出力された高周波信号を周期的に周波数変調して送信用のミリ波信号として出力し前記第１の誘電体線路中を伝搬させるミリ波信号発振部と、
前記第１の誘電体線路に一端側が電磁結合するように近接配置されるかまたは前記第１の誘電体線路に一端が接合されて、前記ミリ波信号の一部をミキサー側へ伝搬させる第２の誘電体線路と、
前記凹部の底面および前記蓋体の下面に平行に対向配置された２枚のフェライト板の周縁部に所定間隔で配置されかつそれぞれ前記ミリ波信号の入出力端とされた第１の接続部，第２の接続部および第３の接続部を有する第１のサーキュレータであって、前記第１の誘電体線路の前記ミリ波信号の出力端に前記第１の接続部が接続される第１のサーキュレータと、
該第１のサーキュレータの前記第２の接続部に一端が接続され、前記ミリ波信号を振幅変調するショットキーバリアダイオードが他端に接続された第３の誘電体線路と、
前記第１のサーキュレータの前記第３の接続部に一端が接続された第４の誘電体線路と、
前記凹部の底面および前記蓋体の下面に平行に対向配置された２枚のフェライト板の周縁部に所定間隔で配置されかつそれぞれ前記ミリ波信号の入出力端とされた第４の接続部，第５の接続部および第６の接続部を有する第２のサーキュレータであって、前記第４の接続部に前記第４の誘電体線路の他端が接続された第２のサーキュレータと、
前記第２のサーキュレータの前記第５の接続部に一端が接続され、前記ミリ波信号を振幅変調するショットキーバリアダイオードが他端に接続された第５の誘電体線路と、
前記第２のサーキュレータの前記第６の接続部に一端が接続された第６の誘電体線路と、
前記凹部の底面および前記蓋体の下面に平行に対向配置された２枚のフェライト板の周縁部に所定間隔で配置されかつそれぞれ前記ミリ波信号の入出力端とされた第７の接続部，第８の接続部および第９の接続部を有する第３のサーキュレータであって、前記第７の接続部に前記第６の誘電体線路の他端が接続された第３のサーキュレータと、
該第３のサーキュレータの前記第８の接続部に一端が接続され、ミリ波信号を伝搬させるとともに先端部に送信アンテナを有する第７の誘電体線路と、
前記第３のサーキュレータの前記第９の接続部に接続され、前記送信アンテナで受信混入した受信波を伝搬させるとともに先端部に設けられた無反射終端部で前記受信波を減衰させる第８の誘電体線路と、
先端部に受信アンテナ、他端部にミキサーが各々設けられた第９の誘電体線路と、
前記第２の誘電体線路の中途と前記第９の誘電体線路の中途とを近接させて電磁結合させるかまたは接合させて成り、ミリ波信号の一部と受信波とを混合させて中間周波信号を発生させるミキサーと
を設けたことを特徴とするミリ波送受信器。
【発明の詳細な説明】
【０００１】
【発明の属する技術分野】
本発明は、高周波信号で作動する高周波部品を収納するための高周波部品収納用容器、およびそれを用いた非放射性誘電体線路、ならびに非放射性誘電体線路型のミリ波集積回路，ミリ波レーダーモジュール等としてのミリ波送受信器に関する。
【０００２】
【従来の技術】
従来、マイクロ波やミリ波の高周波信号を伝送させるためには金属導波管が多く用いられてきたが、近年の高周波モジュールの小型化の要求により、誘電体線路を用いた高周波モジュールが開発されている。なかでも、高周波信号の伝送損失の小さい非放射性誘電体線路（Nonradiative Dielectric Waveguideで、以下、ＮＲＤガイドともいう）が注目されている。ＮＲＤガイドの基本構成を図３に示す。同図に示すように、所定の間隔ａでもって平行配置された平行平板導体１１、１２の間に、断面が長方形等の矩形状の誘電体線路１３を配置した構成であり、この間隔ａが高周波信号の波長λに対してａ≦λ／２であれば、外部から誘電体線路１３へのノイズの侵入をなくしかつ外部への高周波信号の放射をなくして、誘電体線路１３中で高周波信号を効率良く伝搬させることができる。なお、高周波信号の波長λは使用周波数における空気中（自由空間）での波長である。
【０００３】
このようなＮＲＤガイドにおいて、ノイズの原因となる外部から侵入しようとする電磁波を遮蔽する目的と、高周波信号の外部への漏洩を防止する目的で、図４（ａ）に示す構成のものが提案されている。即ち、上面に誘電体線路２３を収容するための凹部２２ａが形成された金属製の基体２２と、基体２２の上面の凹部２２ａの周囲に接合され、凹部２２ａの底面に下面が平行な平板状の金属製の蓋体２１とを具備しており、基体２２の上面で凹部２２ａの周囲の部位に電磁波遮蔽のためのチョーク溝２４を形成した高周波部品収納用容器（以下、容器ともいう）を用いたものである。
【０００４】
なお、蓋体２１は上側の平行平板導体に相当し、基体２２は下側の平行平板導体に相当する。
【０００５】
そして、図４（ｂ）に示すように、チョーク溝２４の幅W１は高周波信号の波長λに対してλ／４、チョーク溝２４の深さDはλ／４、基体２２の上面で凹部２２ａの周囲の部位におけるチョーク溝２４の両側の幅W２、W３はそれぞれλ／４である。このようなチョーク溝２４は、蓋体２１の下面の外周部に形成される場合もあり、基体２２に設ける場合と同じ効果が得られる。
【０００６】
【非特許文献１】
Futoshi Kuroki，Masayuki Sugioka，Shinji Matsukawa，Kengo Ikeda，andT．Yoneyama，“High−Speed ASK Transceiver Based on the NRD−Guide Technology at 60−GHzBand”，IEEE Transaction on Microwave Theory and Techniqes，USA，IEEE，JUNE 1988，VOL．46，NO．6，pp806−810
【０００７】
【発明が解決しようとする課題】
しかしながら、上記従来の容器を用いたＮＲＤガイドにおいては、図４に示すように、チョーク溝２４は蓋体２１によって密閉された状態となっているため、チョーク溝２４を密閉した状態で蓋体２１下面と基体２２の凹部２２ａ底面とを平行にするために、基体２２の上面で凹部２２ａの周囲の部位を精密に研磨する必要があった。そのため、基体２２をダイキャスト加工のような量産技術によって作製することができず、生産性が低いという問題点があった。
【０００８】
また、チョーク溝２４が蓋体２１によって密閉された構成では、基体２２と蓋体２１との間の熱膨張係数差により生じる熱応力が、基体２２および蓋体２１の接合部に剪断的に加わるとチョーク溝２４の密閉が一部破れてチョーク溝２４の機能が劣化するという問題点があった。
【０００９】
さらに、容器内部も密閉されることとなるため、容器内部で発生した熱がこもり易くなり、放熱性が低下するという問題点もあった。
【００１０】
従って、本発明は上記事情に鑑みて完成されたものであり、その目的は、蓋体と基体との接合部に非密閉構造のチョーク空洞を形成することにより、基体や蓋体をダイキャスト加工のような量産技術およびわずかな切削加工によって生産性良く作製することができ、熱応力が基体および蓋体の接合部に加わっても接合部で有効に緩和することができ、また放熱性が向上するものとすることである。
【００１１】
【課題を解決するための手段】
本発明の高周波部品収納用容器は、上面に高周波信号で作動する高周波部品を収容するための凹部が形成された金属製の基体と、該基体の上面の前記凹部の周囲に接合される、前記凹部の底面に下面が平行な平板状の金属製の蓋体とを具備しており、前記基体と前記蓋体との接合部に、上端および／または下端に前記基体の内側および外側の少なくとも一方に連通する隙間が形成された前記高周波信号の漏洩を防ぐためのチョーク空洞が全周にわたって設けられていることを特徴とする。
【００１２】
本発明の高周波部品収納用容器は、基体と蓋体との接合部に、上端および／または下端に基体の内側および外側の少なくとも一方に連通する隙間が形成された高周波信号の漏洩を防ぐためのチョーク空洞が全周にわたって設けられていることから、非密閉構造のチョーク空洞となり、その結果、基体や蓋体をダイキャスト加工のような量産技術で作製し、基体の蓋体との接合部にわずかな切削加工を施すことによって蓋体下面と基体の凹部底面とを平行にすることができ、高周波部品収納用容器を生産性良く低コストで作製することができる。
【００１３】
また、熱応力が基体および蓋体の接合部に加わっても接合部で有効に緩和することができ、また、チョーク空洞に基体の外側に連通する隙間が形成されていれば、高周波部品収納用容器の表面積が増大し、放熱性が向上することとなる。
【００１４】
さらに、チョーク空洞に基体の内側および外側に連通する隙間が形成されていると、高周波部品収納用容器の内部に内外の温度差によって結露が生じるのを防ぐこともできる。
【００１５】
本発明の高周波部品収納用容器において、好ましくは、前記チョーク空洞は前記基体の上面の外周部に全周にわたって形成した突部と前記蓋体の下面の外周部に全周にわたって形成した突部とが所定の間隔をもって噛み合うようにして形成されていることを特徴とする。
【００１６】
本発明の高周波部品収納用容器は、好ましくはチョーク空洞は基体の上面の外周部に全周にわたって形成した突部と蓋体の下面の外周部に全周にわたって形成した突部とが所定の間隔をもって噛み合うようにして形成されていることから、基体と蓋体との接合部に剪断的に熱応力が加わっても、基体の突部や蓋体の突部で熱応力を有効に緩和することができる。また、例えば複雑な形状の細長いチョーク空洞を容易に形成することができ、接合部における熱応力の緩和効果、放熱性の向上効果、小型化等が促進されたものとなる。
【００１７】
本発明の高周波部品収納用容器において、好ましくは、前記チョーク空洞は、上端よりも下端が前記基体の内側寄りに位置するように傾斜していることを特徴とする。
【００１８】
本発明の高周波部品収納用容器は、好ましくはチョーク空洞は上端よりも下端が基体の内側寄りに位置するように傾斜していることから、基体や蓋体に斜面を有する段差や突部を成型法で欠けやバリの発生を防いで容易に作製することができ、その結果生産効率が向上することとなる。また、チョーク空洞の幅をλ／４以下として細くしても、その深さをλ／４よりも大きくすることで、十分な電磁波遮蔽効果が得られる。
【００１９】
本発明の非放射性誘電体線路は、本発明の高周波部品収納用容器と、該高周波部品収納用容器の内部に収納された前記高周波信号を伝搬させるための誘電体線路とを具備しており、前記凹部の底面と前記蓋体の下面との間の間隔が前記高周波信号の波長の２分の１以下とされていることを特徴とする。
【００２０】
本発明の非放射性誘電体線路は、上記の構成により、電磁波遮蔽性に優れるとともに、接合部における熱応力の緩和効果、放熱性の向上効果、小型化等の効果が得られるものとなる。
【００２１】
本発明のミリ波送受信器は、
本発明の高周波部品収納用容器であって、前記凹部の底面と前記蓋体の下面との間の間隔がミリ波信号の波長の２分の１以下とされている前記高周波部品収納用容器の内部に、
高周波発生素子から出力され周波数変調されたミリ波信号を伝搬させる第１の誘電体線路と、
該第１の誘電体線路に付設され、前記高周波発生素子から出力された高周波信号を周期的に周波数変調して送信用のミリ波信号として出力し前記第１の誘電体線路中を伝搬させるミリ波信号発振部と、
前記第１の誘電体線路に一端側が電磁結合するように近接配置されるかまたは前記第１の誘電体線路に一端が接合されて、前記ミリ波信号の一部をミキサー側へ伝搬させる第２の誘電体線路と、
前記凹部の底面および前記蓋体の下面に平行に対向配置された２枚のフェライト板の周縁部に所定間隔で配置されかつそれぞれ前記ミリ波信号の入出力端とされた第１の接続部，第２の接続部および第３の接続部を有する第１のサーキュレータであって、前記第１の誘電体線路の前記ミリ波信号の出力端に前記第１の接続部が接続される第１のサーキュレータと、
該第１のサーキュレータの前記第２の接続部に一端が接続され、前記ミリ波信号を振幅変調するショットキーバリアダイオードが他端に接続された第３の誘電体線路と、
前記第１のサーキュレータの前記第３の接続部に一端が接続された第４の誘電体線路と、
前記凹部の底面および前記蓋体の下面に平行に対向配置された２枚のフェライト板の周縁部に所定間隔で配置されかつそれぞれ前記ミリ波信号の入出力端とされた第４の接続部，第５の接続部および第６の接続部を有する第２のサーキュレータであって、前記第４の接続部に前記第４の誘電体線路の他端が接続された第２のサーキュレータと、
前記第２のサーキュレータの前記第５の接続部に一端が接続され、前記ミリ波信号を振幅変調するショットキーバリアダイオードが他端に接続された第５の誘電体線路と、
前記第２のサーキュレータの前記第６の接続部に一端が接続された第６の誘電体線路と、
前記凹部の底面および前記蓋体の下面に平行に対向配置された２枚のフェライト板の周縁部に所定間隔で配置されかつそれぞれ前記ミリ波信号の入出力端とされた第７の接続部，第８の接続部および第９の接続部を有する第３のサーキュレータであって、前記第７の接続部に前記第６の誘電体線路の他端が接続された第３のサーキュレータと、
該第３のサーキュレータの前記第８の接続部に一端が接続され、ミリ波信号を伝搬させるとともに先端部に送受信アンテナを有する第７の誘電体線路と、
前記送受信アンテナで受信され前記第７の誘電体線路を伝搬して前記第３のサーキュレータの前記第９の接続部より出力した受信波をミキサー側へ伝搬させる第８の誘電体線路と、
前記第２の誘電体線路の中途と前記第８の誘電体線路の中途とを近接させて電磁結合させるかまたは接合させて成り、ミリ波信号の一部と受信波とを混合させて中間周波信号を発生させるミキサーと
が設けられていることを特徴とする。
【００２２】
本発明のミリ波送受信器は、上記の構成により、高周波帯域および広い帯域幅でミリ波信号の漏れを防止するとともに外部から侵入しようとするノイズを遮断でき、その結果、出力の低下を抑えてミリ波レーダーモジュールとした場合に探知距離を増大し得るものとなる。また、生産性良く低コストで作製することができ、また熱応力によって高周波部品収納用容器の接合部が外れたりするのを防ぐことができ、さらに放熱性が良好なものとなる。さらに、高周波部品収納用容器の内部に内外の温度差によって結露が生じるのを防ぐことできる信頼性の高いミリ波送受信器となる。
【００２３】
また、本発明のミリ波送受信器は、
本発明の高周波部品収納用容器であって、前記凹部の底面と前記蓋体の下面との間の間隔がミリ波信号の波長の２分の１以下とされている前記高周波部品収納用容器の内部に、
高周波発生素子から出力され周波数変調されたミリ波信号を伝搬させる第１の誘電体線路と、
該第１の誘電体線路に付設され、前記高周波発生素子から出力された高周波信号を周期的に周波数変調して送信用のミリ波信号として出力し前記第１の誘電体線路中を伝搬させるミリ波信号発振部と、
前記第１の誘電体線路に一端側が電磁結合するように近接配置されるかまたは前記第１の誘電体線路に一端が接合されて、前記ミリ波信号の一部をミキサー側へ伝搬させる第２の誘電体線路と、
前記凹部の底面および前記蓋体の下面に平行に対向配置された２枚のフェライト板の周縁部に所定間隔で配置されかつそれぞれ前記ミリ波信号の入出力端とされた第１の接続部，第２の接続部および第３の接続部を有する第１のサーキュレータであって、前記第１の誘電体線路の前記ミリ波信号の出力端に前記第１の接続部が接続される第１のサーキュレータと、
該第１のサーキュレータの前記第２の接続部に一端が接続され、前記ミリ波信号を振幅変調するショットキーバリアダイオードが他端に接続された第３の誘電体線路と、
前記第１のサーキュレータの前記第３の接続部に一端が接続された第４の誘電体線路と、
前記凹部の底面および前記蓋体の下面に平行に対向配置された２枚のフェライト板の周縁部に所定間隔で配置されかつそれぞれ前記ミリ波信号の入出力端とされた第４の接続部，第５の接続部および第６の接続部を有する第２のサーキュレータであって、前記第４の接続部に前記第４の誘電体線路の他端が接続された第２のサーキュレータと、
前記第２のサーキュレータの前記第５の接続部に一端が接続され、前記ミリ波信号を振幅変調するショットキーバリアダイオードが他端に接続された第５の誘電体線路と、
前記第２のサーキュレータの前記第６の接続部に一端が接続された第６の誘電体線路と、
前記凹部の底面および前記蓋体の下面に平行に対向配置された２枚のフェライト板の周縁部に所定間隔で配置されかつそれぞれ前記ミリ波信号の入出力端とされた第７の接続部，第８の接続部および第９の接続部を有する第３のサーキュレータであって、前記第７の接続部に前記第６の誘電体線路の他端が接続された第３のサーキュレータと、
該第３のサーキュレータの前記第８の接続部に一端が接続され、ミリ波信号を伝搬させるとともに先端部に送信アンテナを有する第７の誘電体線路と、
前記第３のサーキュレータの前記第９の接続部に接続され、前記送信アンテナで受信混入した受信波を伝搬させるとともに先端部に設けられた無反射終端部で前記受信波を減衰させる第８の誘電体線路と、
先端部に受信アンテナ、他端部にミキサーが各々設けられた第９の誘電体線路と、
前記第２の誘電体線路の中途と前記第９の誘電体線路の中途とを近接させて電磁結合させるかまたは接合させて成り、ミリ波信号の一部と受信波とを混合させて中間周波信号を発生させるミキサーと
を設けたことを特徴とする。
【００２４】
本発明のミリ波送受信器は、上記の構成により、送信アンテナと受信アンテナが独立していることから、送信アンテナで受信された受信波がミキサーへノイズとして混入することがなく、高周波信号の伝送特性に優れたものとなる。その結果、受信波によるノイズが低減し、ミリ波レーダーモジュールとした場合に探知距離がさらに増大するものものとなる。また、生産性良く低コストで作製することができ、また熱応力によって高周波部品収納用容器の接合部が外れたりするのを防ぐことができ、さらに放熱性が良好なものとなる。また、高周波部品収納用容器の内部に内外の温度差によって結露が生じるのを防ぐことできる信頼性の高いミリ波送受信器となる。
【００２５】
なお、本発明のミリ波送受信器においては、高周波発生素子を第１の誘電体線路ではなく第２の誘電体線路に付設することができ、その場合、第２の誘電体線路から第１の誘電体線路へ電磁結合によりミリ波信号を伝搬させることで、上記構成のものと同様の機能を有するものとなる。
【００２６】
【発明の実施の形態】
本発明の高周波部品収納用容器およびミリ波送受信器について以下に説明する。図１は本発明の容器の断面図であり、同図において、１は上側の平行平板導体としての蓋体、２は下側の平行平板導体としての基体、２ａは基体２の上面に形成された凹部、３は誘電体線路である。
【００２７】
本発明の容器は、上面に高周波信号で作動する高周波部品を収容するための凹部２ａが形成された金属製の基体２と、基体２の上面の凹部２ａの周囲に接合される、凹部２ａの底面に下面が平行な平板状の金属製の蓋体１とを具備し、基体２と蓋体１との接合部に、上端および／または下端に基体２の内側および外側の少なくとも一方に連通する隙間４ａが形成された高周波信号の漏洩を防ぐためのチョーク空洞４が全周にわたって設けられている。
【００２８】
本発明の容器は、このような構成により、開放部を有する非密閉構造のチョーク空洞４となり、その結果、基体２や蓋体１をダイキャスト加工のような量産技術で作製し、基体２の蓋体１との接合部にわずかな切削加工を施すことによって蓋体１下面と基体２の凹部２ａ底面とを平行にすることができ、容器を生産性良く低コストで作製することができる。また、蓋体１の下面に平行な剪断的な熱応力が基体２および蓋体１の接合部に加わっても接合部で有効に緩和することができ、また、チョーク空洞４に基体２の外側に連通する隙間４ａが形成されていれば、容器の表面積が増大して放熱性が向上する。さらに、チョーク空洞４に基体２の内側および外側に連通する隙間４ａが形成されていると、容器内部に内外の温度差によって結露が生じるのを防ぐこともできる。
【００２９】
本発明において、図１（ｂ）に示すように、チョーク空洞４は例えば断面形状が正方形や長方形等の四角形とされており、その幅Ｗ１は高周波信号の波長λに対してλ／４、深さＤはｎλ／４（ｎは１以上の整数）、チョーク空洞４と容器（基体２）の外側面との間の間隔はλ／４、チョーク空洞４と容器（基体２）の内側面との間の間隔はλ／４である。これにより、チョーク空洞４において、容器外部へ漏洩しようとする高周波信号および容器内部へ侵入しようとする高周波信号が遮蔽される。
【００３０】
また、隙間４ａの高さＨはＤよりも小さくかつλ／２以下がよく、λ／２を超えると、高周波信号の遮蔽効果が劣化し易くなる。
【００３１】
また、基体２と蓋体１とは、蓋体１にネジを挿通するための貫通孔を、基体２にネジ穴を形成してネジ止めしたり、ボルトとナットにより固定してもよい。または、Ｐｂ−Ｓｎ半田，Ａｕ−Ｓｎ半田，Ａｇ−Ｃｕロウ材等のロウ材や樹脂接着剤等によって接合することもできる。
【００３２】
本発明において、チョーク空洞４は、基体２の上面の外周部に全周にわたって形成した突部と蓋体１の下面の外周部に全周にわたって形成した突部とが所定の間隔（λ／４）をもって噛み合うようにして形成されていることが好ましい。これにより、基体２と蓋体１との接合部に剪断的に熱応力が加わっても、基体２の突部や蓋体１の突部で熱応力を有効に緩和することができる。また、複雑な形状のチョーク空洞４を容易に形成することができ、熱応力の緩和効果、放熱性の向上効果、小型化等がさらに促進されたものとなる。なお、基体２の突部や蓋体１の突部は段差であってもよい。
【００３３】
本発明の基体２および蓋体１は、高い電気伝導度（高い電磁波遮蔽性）および加工性等の点で、Ｃｕ，Ａｌ，Ｆｅ，Ａｇ，Ａｕ，Ｐｔ，ＳＵＳ（ステンレススチール），真鍮（Ｃｕ−Ｚｎ合金），Ｆｅ−Ｎｉ合金，Ｆｅ−Ｎｉ−Ｃｏ合金等の金属、あるいはセラミックス，樹脂等から成る絶縁体の表面にこれらの金属の層をめっき法等で被着形成したものでもよい。
【００３４】
また、高周波部品としては、ガンダイオード等の高周波発生素子、ショットキーバリアダイオード，バラクタダイオード等の高周波信号を変調するための高周波変調用素子、高周波信号を伝搬させる誘電体線路、高周波信号の伝搬経路を変換するサーキュレータ等が用いられる。
【００３５】
本発明のＮＲＤガイドは、本発明の容器と、その容器の内部に収納された高周波信号を伝搬させるための誘電体線路３とを具備し、凹部２ａの底面と蓋体１の下面との間の間隔が高周波信号の波長の２分の１以下とされている。これにより、電磁波遮蔽性に優れるとともに、接合部における熱応力の緩和効果、放熱性の向上効果、小型化等の効果が得られるものとなる。なお、誘電体線路３は基体２と蓋体１の少なくとも一方に樹脂接着剤等で接着されていれば良い。
【００３６】
本発明の誘電体線路３は、テフロン，ポリスチレン等の樹脂、または低比誘電率のコーディエライト（２ＭｇＯ・２Ａｌ２Ｏ３・５ＳｉＯ２）セラミックス，アルミナ（Ａｌ２Ｏ３）セラミックス，ガラスセラミックス等のセラミックスから成るのが好ましく、これらは高周波帯域において低損失である。
【００３７】
本発明でいう高周波帯域は、数１０〜数１００ＧＨｚ帯域のマイクロ波帯域およびミリ波帯域に相当し、例えば３０ＧＨｚ以上、特に５０ＧＨｚ以上、更には７０ＧＨｚ以上の高周波帯域が好適である。
【００３８】
また、本発明のＮＲＤガイドは、高周波発生素子としてＶＣＯやガンダイオード等の高周波ダイオードを組み込むことによって、無線ＬＡＮ，自動車のミリ波レーダ等に使用されるものであり、例えば自動車の周囲の障害物および他の自動車に対しミリ波を照射し、反射波を元のミリ波と合成して中間周波信号を得、この中間周波信号を分析することにより障害物および他の自動車までの距離、それらの移動速度等が測定できる。
【００３９】
本発明の容器を用いたＮＲＤガイドについて実施の形態の他の例を図２に示す。
【００４０】
図２（ａ）は、蓋体１の下面の外周端に突部１ａを設け、基体２の側壁部の上面の内周端に突部１ａよりもわずかに低い突部２ａを設けて、容器内部に連通する隙間４ａが形成されたチョーク空洞４を設けたものである。この場合、基体２をダイキャスト法で作製し、接合部である突部１ａの下端面を研磨することにより、基体２の凹部２ａ底面と蓋体１下面とを容易に平行にすることができる。また、基体２と蓋体１との接合部である突部１ａ下端面に熱応力が加わっても、突部１ａが適度に変形することによって熱応力を緩和することができる。
【００４１】
（ｂ）は、（ａ）において、突部１ａの高さを突部２ａよりももわずかに低くして、容器外部に連通する隙間４ａが形成されたチョーク空洞４を設けたものである。この場合、上記の効果に加えて、容器の外表面の面積が増大することから容器の放熱性が向上するという効果がある。
【００４２】
（ｃ）は、蓋体１の下面で外周端よりも若干内側に突部１ａを設け、基体２の側壁部の上面の外周端に突部１ａよりもわずかに低い突部２ａを設けて、容器外部に連通する隙間４ａが形成されたチョーク空洞４を設けたものである。
【００４３】
（ｄ）は、（ｃ）において、突部１ａの高さを突部２ａよりももわずかに低くして、容器内部に連通する隙間４ａが形成されたチョーク空洞４を設けたものである。
【００４４】
（ｅ）は、蓋体１の下面で外周端よりも若干内側に段差１ａを設け、基体２の側壁部の上面の外周端に段差１ａよりもわずかに高い突部２ａを設けて、容器内部に連通する隙間４ａが形成されたチョーク空洞４を設けたものである。この場合、チョーク空洞４は、上端よりも下端が基体２の内側寄りに位置するように傾斜していることから、ダイキャスト法等の金型を用いた成型法で基体２、蓋体１を作製することが容易になる。即ち、斜面を有する段差１ａや突部２ａは成型法で欠けやバリの発生を防いで容易に作製することができ、その結果生産効率が向上することとなる。また、チョーク空洞４の幅をλ／４以下として細くしても、その深さをλ／４よりも大きくすることで、十分な電磁波遮蔽効果が得られるとともに、小型化された容器となる。
【００４５】
（ｆ）は、（ｅ）において、突部２ａの高さを段差１ａよりもわずかに低くして、容器外部に連通する隙間４ａが形成されたチョーク空洞４を設けたものである。この場合、上記の効果に加えて、容器の外表面の面積が増大することから容器の放熱性が向上するという効果がある。
【００４６】
（ｇ）は、基体２の側壁部の内側上端を側壁部が若干先細りとなるように斜面とし、蓋体１の下面で外周端よりも若干内側に段差１ａを設けて、容器内部に連通する隙間４ａが形成された断面形状が細長い逆直角三角形状のチョーク空洞４を設けたものである。この場合、成型法で基体２、蓋体１を作製することが容易になり、また、チョーク空洞４の幅をλ／４以下として細くしても、その深さをλ／４よりも大きくすることで、十分な電磁波遮蔽効果が得られるとともに、小型化された容器となる。
【００４７】
（ｈ）は、（ｇ）において、基体２の側壁部上面と蓋体１下面との間にも隙間４ｂが形成されるように支柱５を基体２の凹部２底面または蓋体１下面に設けたものである。この場合、支柱５の高さをその上端面または下端面を研磨することで容易に調整でき、基体２の凹部２ａ底面と蓋体１下面とを容易に平行にすることができる。また、チョーク空洞４に基体２の内側および外側に連通する隙間４ａ，４ｂが形成されていることから、容器の内部に内外の温度差によって結露が生じるのを防ぐことができ、高周波部品の特性劣化を防いで信頼性が高いものとなる。
【００４８】
次に、本発明のミリ波送受信器としてのミリ波レーダーモジュールについて以下に説明する。
【００４９】
図５，図６は本発明のミリ波レーダーモジュールを示し、図５は送信アンテナと受信アンテナが一体化されたものの平面図、図６は送信アンテナと受信アンテナが独立したものの平面図、図７はミリ波信号発振部の斜視図、図８はミリ波信号発振部用の可変容量ダイオード（バラクタダイオード）を設けた配線基板の斜視図である。
【００５０】
図５のミリ波レーダーモジュールは、送信用のミリ波信号の波長の２分の１以下の間隔で配置された平行平板導体（基体と蓋体に相当する。また他方は省略する。）５１間に高周波発生素子から出力され周波数変調されたミリ波信号を伝搬させる第１の誘電体線路５３と、第１の誘電体線路５３に付設され、ミリ波信号を周期的に周波数変調して送信用のミリ波信号として出力し、第１の誘電体線路５３中を伝搬させるミリ波信号発振部５２と、第１の誘電体線路５３に一端側が電磁結合するように近接配置されるかまたは第１の誘電体線路５３に一端が接合されて、ミリ波信号の一部をミキサー６２側へ伝搬させる第２の誘電体線路６１とが設けられている。
【００５１】
また、平行平板導体５１間に、平行平板導体５１に平行に対向配置された２枚のフェライト板５５ａの周縁部に所定間隔で配置されかつそれぞれミリ波信号の入出力端とされた第１の接続部５５ａ１、第２の接続部５５ａ２および第３の接続部５５ａ３を有する第１のサーキュレータ（以下、ＣＬＴともいう）Ａであって、第１の誘電体線路５３のミリ波信号の出力端に第１の接続部５５ａ１が接続される第１のＣＬＴＡと、第１のＣＬＴＡの第２の接続部５５ａ２に一端が接続され、ミリ波信号を振幅変調するショットキーバリアダイオード（以下、ＳＢＤともいう）が他端部（先端部）に接続された第３の誘電体線路５６と、第１のＣＬＴＡの第３の接続部５５ａ３に一端が接続された第４の誘電体線路５４ｃとが設けられている。
【００５２】
また、平行平板導体間５１に、平行平板導体５１に平行に対向配置された２枚のフェライト板５５ｂの周縁部に所定間隔で配置されかつそれぞれミリ波信号の入出力端とされた第４の接続部５５ｂ１、第５の接続部５５ｂ２および第６の接続部５５ｂ３を有する第２のＣＬＴＢであって、第４の誘電体線路５４ｃのミリ波信号の出力端に第４の接続部５５ｂ１が接続される第２のＣＬＴＢと、第２のＣＬＴＢの第５の接続部５５ｂ２に一端が接続され、ミリ波信号を振幅変調するＳＢＤが他端部（先端部）に接続された第５の誘電体線路５８と、第２のＣＬＴＢの第６の接続部５５ｂ３に一端が接続された第６の誘電体線路５４ｅとが設けられている。
【００５３】
また、平行平板導体間５１に、平行平板導体５１に平行に対向配置された２枚のフェライト板５５ｃの周縁部に所定間隔で配置されかつそれぞれミリ波信号の入出力端とされた第７の接続部５５ｃ１、第８の接続部５５ｃ２および第９の接続部５５ｃ３を有する第３のＣＬＴＣであって、第７の接続部５５ｃ１に第６の誘電体線路５４ｅの他端が接続された第３のＣＬＴＣと、第３のＣＬＴＣの第８の接続部５５ｃ２に一端が接続され、ミリ波信号を伝搬させるとともに先端部に送受信アンテナ５９ａを有する第７の誘電体線路５９と、送受信アンテナ５９ａで受信され第７の誘電体線路５９を伝搬して第３のＣＬＴＣの第９の接続部５５ｃ３より出力した受信波をミキサー６２側へ伝搬させる第８の誘電体線路６０と、第２の誘電体線路６１の中途と第８の誘電体線路６０の中途とを近接させて電磁結合させるかまたは接合させて成り、ミリ波信号の一部と受信波とを混合させて中間周波数信号を発生させるミキサー６２とが設けられている。
【００５４】
そして、ＳＢＤがそれぞれ設けられた第１および第２のＣＬＴＡ，Ｂが振幅変調器である。なお、図中Ｍ１は中間周波数信号を発生させるミキサー部、６１ａは、第２の誘電体線路６１のミキサー６２と反対側の端部に設けられた無反射終端部（ターミネータ）である。
【００５５】
第１の誘電体線路５３の一端に設けられた電圧制御型のミリ波信号発振部５２は、バイアス電圧印加方向が高周波信号の電界方向に合致するように、第１の誘電体線路５３の高周波発生素子（高周波ダイオード等）近傍に配置された可変容量ダイオードのバイアス電圧を周期的に制御して、三角波、正弦波等とすることにより、周波数変調した送信用のミリ波信号として出力する。なお、高周波ダイオードと可変容量ダイオードとの組み合わせと同等の機能を有するＶＣＯ（ＶＣＯは電圧で周波数を変化させる発振器であり、例えば可変容量ダイオードを用いずにガンダイオード（高周波発生素子）のバイアス電圧を変化させるものもある）をミリ波信号発振部として用いることで、同じ目的を達成できることは言うまでも無い。
【００５６】
なお、図６において、５４ａ〜５４ｇはモードサプレッサである。また、５７ａ，５７ｂはミリ波信号を振幅変調するＳＢＤが設けられた配線基板であり、図５のような構成である。例えば、図５の配線基板３０の一主面にチョーク型バイアス供給線路３３を形成し、その中途にフリップチップ実装、バンプ実装またはハンダ実装されたＳＢＤ３１を設けたスイッチである。このＳＢＤ３１の順方向電流を流すまたは流さないという制御をすることにより、ミリ波信号をオフ（吸収）−オン（反射）制御（スイッチング制御）、即ち振幅変調することができる。
【００５７】
また、送受信アンテナ５９ａは、第７の誘電体線路５９の先端をテーパー状とすることにより設けられる。または、送受信アンテナ５９ａは、平行平板導体５１に開口を設け、平行平板導体５１の外面にその開口に金属導波管を介してホーンアンテナ等のアンテナを接続した構成のものでもよい。
【００５８】
第４，第６の誘電体線路５４ｃ，５４ｅは接続用誘電体線路であり、その略全体がモードサプレッサとなっている。
【００５９】
また、第１の誘電体線路５３は第１のＣＬＴＡの入力用誘電体線路、第３の誘電体線路５６は第１のＣＬＴＡの変調用誘電体線路、第４の誘電体線路５４ｃは第１のＣＬＴＡの出力用誘電体線路に相当する。第４の誘電体線路５４ｃは第２のＣＬＴＢの入力用誘電体線路、第５の誘電体線路５８は第２のＣＬＴＢの変調用誘電体線路、第６の誘電体線路５４ｅは第２のＣＬＴＢの出力用誘電体線路に相当する。
【００６０】
また、本発明のミリ波レーダーモジュールの実施の形態の他の例として、送信アンテナと受信アンテナを独立させた図６のタイプがある。
【００６１】
図６のものは、送信用のミリ波信号の波長の２分の１以下の間隔で配置された平行平板導体（他方は省略する）６５間に高周波発生素子から出力され周波数変調されたミリ波信号を伝搬させる第１の誘電体線路６７と、第１の誘電体線路６７に付設され、ミリ波信号を周期的に周波数変調して送信用のミリ波信号として出力し、第１の誘電体線路６７中を伝搬させるミリ波信号発振部６６と、第１の誘電体線路６７に一端側が電磁結合するように近接配置されるかまたは第１の誘電体線路６７に一端が接合されて、ミリ波信号の一部をミキサー７６側へ伝搬させる第２の誘電体線路６９とが設けられている。
【００６２】
また、平行平板導体６５間に、平行平板導体６５に平行に対向配置された２枚のフェライト板７０ａの周縁部に所定間隔で配置されかつそれぞれミリ波信号の入出力端とされた第１の接続部７０ａ１、第２の接続部７０ａ２および第３の接続部７０ａ３を有する第１のＣＬＴＡであって、第１の誘電体線路６７のミリ波信号の出力端に第１の接続部７０ａ１が接続される第１のＣＬＴＡと、第１のＣＬＴＡの第２の接続部７０ａ２に一端が接続され、ミリ波信号を振幅変調するＳＢＤが他端部（先端部）に接続された第３の誘電体線路７１と、第１のＣＬＴＡの第３の接続部７０ａ３に一端が接続された第４の誘電体線路６８ｃとが設けられている。
【００６３】
また、平行平板導体６５間に、平行平板導体６５に平行に対向配置された２枚のフェライト板７０ｂの周縁部に所定間隔で配置されかつそれぞれミリ波信号の入出力端とされた第４の接続部７０ｂ１、第５の接続部７０ｂ２および第６の接続部７０ｂ３を有する第２のＣＬＴＢであって、第４の誘電体線路６８ｃのミリ波信号の出力端に第４の接続部７０ｂ１が接続される第２のＣＬＴＢと、第２のＣＬＴＢの第５の接続部７０ｂ２に一端が接続され、ミリ波信号を振幅変調するＳＢＤが他端部（先端部）に接続された第５の誘電体線路７２と、第２のＣＬＴＢの第６の接続部７０ｂ３に一端が接続された第６の誘電体線路６８ｅとが設けられている。
【００６４】
また、平行平板導体６５間に、平行平板導体６５に平行に対向配置された２枚のフェライト板７０ｃの周縁部に所定間隔で配置されかつそれぞれミリ波信号の入出力端とされた第７の接続部７０ｃ１、第８の接続部７０ｃ２および第９の接続部７０ｃ３を有する第３のＣＬＴＣであって、第７の接続部７０ｃ１に第６の誘電体線路６８ｅの他端が接続された第３のＣＬＴＣと、第３のＣＬＴＣの第８の接続部７０ｃ２に一端が接続され、ミリ波信号を伝搬させるとともに先端部に送信アンテナ７３ａを有する第７の誘電体線路７３と、送信アンテナ７３ａで受信混入した受信波を伝搬させるとともに先端部に設けられた無反射終端７４ａで受信波を減衰させる第８の誘電体線路７４と、先端部に受信アンテナ７５ａ、他端部にミキサー７６が各々設けられた第９の誘電体線路７５と、第２の誘電体線路６９の中途と第９の誘電体線路７５の中途とを近接させて電磁結合させるかまたは接合させて成り、ミリ波信号の一部と受信波とを混合させて中間周波数信号を発生させるミキサー７６とが設けられている。
【００６５】
そして、それぞれＳＢＤが設けられた第１および第２のＣＬＴＡ，Ｂが振幅変調器である。なお、図中Ｍ２は中間周波数信号を発生させるミキサー部、６９ａは、第２の誘電体線路６９のミキサー７６と反対側の端部に設けられた無反射終端部（ターミネータ）である。
【００６６】
第１の誘電体線路６７の一端に設けられた電圧制御型のミリ波信号発振部６６は、バイアス電圧印加方向が高周波信号の電界方向に合致するように、第１の誘電体線路６７の高周波発生素子近傍に配置された可変容量ダイオードのバイアス電圧を周期的に制御して、三角波、正弦波等とすることにより、周波数変調した送信用のミリ波信号として出力する。なお、高周波ダイオードと可変容量ダイオードとの組み合わせと同等の機能を有するＶＣＯをミリ波信号発振部として用いることで、同じ目的を達成できることは言うまでもない。
【００６７】
なお、図７において、６８ａ〜６８ｇはモードサプレッサである。また、７７ａ，７７ｂはミリ波信号を振幅変調するＳＢＤが設けられた配線基板であり、図５のような構成である。
【００６８】
また、送信アンテナ７３ａ、受信アンテナ７５ａは、第７の誘電体線路７３、第９の誘電体線路７５の先端をテーパー状とすることによりそれぞれ設けられる。または、送信アンテナ７３ａ、受信アンテナ７５ａは、平行平板導体６５に開口を設け、平行平板導体６５の外面にその開口に金属導波管を介してホーンアンテナ等のアンテナを接続した構成のものでもよい。
【００６９】
第４，第６の誘電体線路６８ｃ，６８ｅは接続用誘電体線路であり、その略全体がモードサプレッサとなっている。
【００７０】
また、第１の誘電体線路６７は第１のＣＬＴＡの入力用誘電体線路、第３の誘電体線路７１は第１のＣＬＴＡの変調用誘電体線路、第４の誘電体線路６８ｃは第１のＣＬＴＡの出力用誘電体線路に相当する。第４の誘電体線路６８ｃは第２のＣＬＴＢの入力用誘電体線路、第５の誘電体線路７２は第２のＣＬＴＢの変調用誘電体線路、第６の誘電体線路６８ｅは第２のＣＬＴＢの出力用誘電体線路に相当する。
【００７１】
図５，図６のミリ波レーダーモジュール用のミリ波信号発振部５２，６６をガンダイオードで構成したものを図７，図８に示す。これらの図において、８２は、ガンダイオード８３を設置（マウント）するための略直方体の金属ブロック等の金属部材、８３は、ミリ波を発振する高周波ダイオードの１種であるガンダイオード、８４は、金属部材８２の一側面に設置され、ガンダイオード８３にバイアス電圧を供給するとともに高周波信号の漏れを防ぐローパスフィルタとして機能するチョーク型バイアス供給線路８４ａを形成した配線基板、８５は、チョーク型バイアス供給線路８４ａとガンダイオード８３の上部導体とを接続する金属箔リボン等の帯状導体、８６は、誘電体基体に共振用の金属ストリップ線路８６ａを設けた金属ストリップ共振器、８７は、金属ストリップ共振器８６により共振した高周波信号をミリ波信号発振部外へ導く誘電体線路である。
【００７２】
さらに、誘電体線路８７の中途には、周波数変調用ダイオードであって可変容量ダイオードの１種であるバラクタダイオード８０を装荷した配線基板８８を設置している。このバラクタダイオード８０のバイアス電圧印加方向は、誘電体線路８７での高周波信号の伝搬方向に垂直かつ平行平板導体の主面に平行な方向（電界方向）とされている。また、バラクタダイオード８０のバイアス電圧印加方向は、誘電体線路８７中を伝搬するＬＳＭ０１モードの高周波信号の電界方向と合致しており、これにより高周波信号とバラクタダイオード８０とを電磁結合させ、バイアス電圧を制御することによりバラクタダイオード８０の静電容量を変化させることで、高周波信号の周波数を制御できる。また、８９は、バラクタダイオード８０と誘電体線路８７とのインピーダンス整合をとるための高比誘電率の誘電体板である。
【００７３】
また図８に示すように、配線基板８８の一主面には第２のチョーク型バイアス供給線路９０が形成され、第２のチョーク型バイアス供給線路９０の中途にバラクタダイオード８０が配置される。第２のチョーク型バイアス供給線路９０のバラクタダイオード８０との接続部には、接続用の電極８１が形成されている。
【００７４】
そして、ガンダイオード８３から発振された高周波信号は、金属ストリップ共振器８６を通して誘電体線路８７に導出される。次に、高周波信号の一部はバラクタダイオード８０部で反射されてガンダイオード８３側へ戻る。この反射信号がバラクタダイオード８０の静電容量の変化に伴って変化し、発振周波数が変化する。
【００７５】
また、図５，図６のミリ波レーダーモジュールはＦＭＣＷ（Frequency Modulation Continuous Waves）方式であり、その動作原理は以下のようなものである。ミリ波信号発振部の変調信号入力用のＭＯＤＩＮ端子に、電圧振幅の時間変化が三角波，正弦波等となる入力信号を入力し、その出力信号を周波数変調し、ミリ波信号発振部の出力周波数偏移を三角波，正弦波等になるように偏移させる。そして、送受信アンテナ５９ａ，送信アンテナ７５ａより出力信号（送信波）を放射した場合、送受信用アンテナ５９ａ，送信アンテナ７５ａの前方にターゲットが存在すると、電波の伝搬速度の往復分の時間差をともなって、反射波（受信波）が戻ってくる。この時、ミキサー６２，７６の出力側のＩＦＯＵＴ端子には、送信波と受信波の周波数差が出力される。
【００７６】
このＩＦＯＵＴ端子の出力周波数等の周波数成分を解析することで、Ｆif＝４Ｒ・ｆｍ・Δｆ／ｃ（Fif：ＩＦ（Intermediate Frequency：中間周波数）出力周波数，Ｒ：距離，ｆｍ：変調周波数，Δｆ：周波数偏移幅，ｃ：光速）という関係式から距離を求めることができる。
【００７７】
本発明のミリ波信号発振部において、チョーク型バイアス供給線路８４ａおよび帯状導体８５の材料は、Ｃｕ，Ａｌ，Ａｕ，Ａｇ，Ｗ，Ｔｉ，Ｎｉ，Ｃｒ，Ｐｄ，Ｐｔ等から成り、特にＣｕ，Ａｇが、電気伝導度が良好であり、損失が小さく、発振出力が大きくなるといった点で好ましい。
【００７８】
また、帯状導体８５は金属部材８２の表面から所定間隔をあけて金属部材８２と電磁結合しており、チョーク型バイアス供給線路８４ａとガンダイオード素子８３間に架け渡されている。即ち、帯状導体８５の一端はチョーク型バイアス供給線路８４ａの一端に半田付け等により接続され、帯状導体８５の他端はガンダイオード素子８３の上部導体に半田付け等により接続されており、帯状導体８５の接続部を除く中途部分は宙に浮いた状態となっている。
【００７９】
そして、金属部材８２は、ガンダイオード素子８３の電気的な接地（アース）を兼ねているため金属等の導体であれば良く、その材料は金属（合金を含む）であれば特に限定するものではなく、真鍮（黄銅：Ｃｕ−Ｚｎ合金），Ａｌ，Ｃｕ，ＳＵＳ（ステンレススチール），Ａｇ，Ａｕ，Ｐｔ等から成る。また金属部材８２は、全体が金属から成る金属ブロック、セラミックスやプラスチック等の絶縁基体の表面全体または部分的に金属メッキしたもの、絶縁基体の表面全体または部分的に導電性樹脂材料等をコートしたものであっても良い。
【００８０】
かくして、本発明の図５のミリ波レーダーモジュールは、高周波帯域および広い帯域幅でミリ波信号の漏れを防止するとともに外部から侵入しようとするノイズを遮断でき、その結果、出力の低下を抑えて探知距離を増大し得るものとなる。また、生産性良く低コストで作製することができ、また熱応力によって容器の接合部が外れたりするのを防ぐことができ、さらに放熱性が良好なものとなる。また、容器内部に結露が生じるのを防ぐことできる信頼性の高いものとなる。
【００８１】
また、本発明の図６のミリ波レーダーモジュールは、上記と同様の効果を有するとともに、送信アンテナで受信された受信波がミキサーへノイズとして混入することがなく、高周波信号の伝送特性に優れたものとなる。その結果、受信波によるノイズが低減し探知距離がさらに増大するものものとなる。
【００８２】
【実施例】
本発明の高周波部品収納用容器の実施例を以下に説明する。
【００８３】
図１の容器を用いて図５のミリ波レーダーモジュールを作製した。上側の平行平板導体としての蓋体１、下側の平行平板導体としての基体２を、厚さ６ｍｍの２枚のＡｌ板をダイキャスト法で成型して作製し、図１の容器を作製した。基体２の側壁部の上面に形成された突部の上面を若干研磨することにより、基体２の凹部２ａ底面と蓋体１下面とが平行になり、それらの間隔が１．８ｍｍとなるように調整した。そして、容器内部に断面形状が１．８ｍｍ（高さ）×０．８ｍｍ（幅）の矩形状であり、比誘電率４．９のコーディエライトセラミックスから成る誘電体線路３から構成される高周波回路を形成した。
【００８４】
また、本実施例では７６．５ＧＨｚ±０．５ＧＨｚ（λ／４が約１ｍｍ）を使用周波数としており、Ｗ１〜Ｗ３が１ｍｍ、Ｄが１ｍｍ、Ｈが０．１ｍｍであるチョーク空洞４を形成した。
【００８５】
そして、容器外部においてパワーメーターを用いて容器内部より漏れ出す高周波信号を測定した結果、高周波信号の漏れを検知することはできなかった。したがって、電磁波が遮蔽されていることが判った。
【００８６】
なお、本発明は上記実施の形態および実施例に限定されず、本発明の要旨を逸脱しない範囲内で種々の変更を行うことは何等差し支えない。
【００８７】
【発明の効果】
本発明の高周波部品収納用容器は、基体と蓋体との接合部に、上端および／または下端に基体の内側および外側の少なくとも一方に連通する隙間が形成された高周波信号の漏洩を防ぐためのチョーク空洞が全周にわたって設けられていることから、非密閉構造のチョーク空洞となり、その結果、基体をダイキャスト加工のような量産技術で作製し、基体の蓋体との接合部にわずかな切削加工を施すことによって蓋体下面と基体の凹部底面とを平行にすることができ、生産性良く低コストで作製することができる。また、熱応力が基体および蓋体の接合部に加わっても接合部で有効に緩和することができ、また、チョーク空洞に基体の外側に連通する隙間が形成されていれば、高周波部品収納用容器の表面積が増大し、放熱性が向上することとなる。さらに、チョーク空洞に基体の内側および外側に連通する隙間が形成されていると、内部に内外の温度差によって結露が生じるのを防ぐこともできる。
【００８８】
本発明の高周波部品収納用容器は、好ましくはチョーク空洞は基体の上面の外周部に全周にわたって形成した突部と蓋体の下面の外周部に全周にわたって形成した突部とが所定の間隔をもって噛み合うようにして形成されていることから、基体と蓋体との接合部に剪断的に熱応力が加わっても、基体の突部や蓋体の突部で熱応力を有効に緩和することができる。また、例えば複雑な形状の細長いチョーク空洞を容易に形成することができ、接合部における熱応力の緩和効果、放熱性の向上効果、小型化等が促進されたものとなる。
【００８９】
本発明の高周波部品収納用容器は、好ましくはチョーク空洞は上端よりも下端が基体の内側寄りに位置するように傾斜していることから、基体や蓋体に斜面を有する段差や突部を成型法で欠けやバリの発生を防いで容易に作製することができ、その結果生産効率が向上することとなる。また、チョーク空洞の幅をλ／４以下として細くしても、その深さをλ／４よりも大きくすることで、十分な電磁波遮蔽効果が得られるとともに、小型化されたものとなる。
【００９０】
本発明の非放射性誘電体線路は、本発明の高周波部品収納用容器と、高周波部品収納用容器の内部に収納された高周波信号を伝搬させるための誘電体線路とを具備し、凹部の底面と蓋体の下面との間の間隔が高周波信号の波長の２分の１以下とされていることにより、電磁波遮蔽性に優れるとともに、接合部における熱応力の緩和効果、放熱性の向上効果、小型化等の効果が得られるものとなる。
【００９１】
本発明の送受信アンテナを有するミリ波送受信器は、高周波帯域および広い帯域幅でミリ波信号の漏れを防止するとともに外部から侵入しようとするノイズを遮断でき、その結果、出力の低下を抑えてミリ波レーダーモジュールとした場合に探知距離を増大し得るものとなる。また、生産性良く低コストで作製することができ、また熱応力によって高周波部品収納用容器の接合部が外れたりするのを防ぐことができ、さらに放熱性が良好なものとなる。さらに、高周波部品収納用容器の内部に内外の温度差によって結露が生じるのを防ぐことできる信頼性の高いものとなる。
【００９２】
また、本発明の送信アンテナと受信アンテナが独立したミリ波送受信器は、上記の効果を有するとともに、送信アンテナで受信された受信波がミキサーへノイズとして混入することがなく、高周波信号の伝送特性に優れたものとなる。その結果、受信波によるノイズが低減し、ミリ波レーダーモジュールとした場合に探知距離がさらに増大するものものとなる。
【図面の簡単な説明】
【図１】（ａ）は本発明の高周波部品収納用容器について実施の形態の例を示す断面図、（ｂ）は（ａ）の高周波部品収納用容器の要部断面図である。
【図２】（ａ）〜（ｈ）は本発明の高周波部品収納用容器について実施の形態の各種例を示す要部断面図である。
【図３】従来の非放射性誘電体線路の一部透視斜視図である。
【図４】（ａ）は従来の高周波部品収納用容器の断面図、（ｂ）は（ａ）の高周波部品収納用容器の要部断面図である。
【図５】本発明のミリ波送受信器について実施の形態の例を示す平面図である。
【図６】本発明のミリ波送受信器について実施の形態の他の例を示す平面図である。
【図７】本発明の電圧制御型のミリ波信号発振部の斜視図である。
【図８】図７のミリ波信号発振部用のバラクタダイオードを設けた配線基板の斜視図である。
【符号の説明】
１：蓋体
２：基体
２ａ：凹部
３：誘電体線路
４：チョーク空洞
【図１】
2004193427.tif 000003
【図２】
2004193427.tif 000004
【図３】
2004193427.tif 000005
【図４】
2004193427.tif 000006
【図５】
2004193427.tif 000007
【図６】
2004193427.tif 000008
【図７】
2004193427.tif 000009
【図８】
2004193427.tif 000010